(57)【要約】      （修正有）【課題】水と種に本剤を混合して播種することで安定した発芽が期待できるパック入混合剤を提供する。【解決手段】パック剤として詰め合わされた土壌保水剤用高吸水性樹脂2と酸度調整されたピートモスを、１０リットルの水に芝生の種と混ぜ、芝生の剥げた場所に液体播種し、安定した良い発芽性能効果を得る。上記パック剤は、安定的に発芽する量として、土壌保水剤用高吸水性樹脂３０グラム、ピートモス１２００グラムをポリエチレン製又はポリエステル製の袋に充填したパック状にする。使用する際は、このパック１袋に対し水１０リットルと芝生の種１００グラム〜２００グラムを混ぜ合せ、ゲル状になった液体をジョーロかヒシャクで約１平方メートルに撒く。【選択図】図１
0003174527.tif 000002
【実用新案登録請求の範囲】
【請求項１】
土壌保水材用高吸水性樹脂、商品名サンフレッシュＧＴ−1  白色粉末状でイオン交換水400グラム〜500グラム／グラム  ＰＨ6.5〜7.2とＰＨ6.5〜7.0と、調整された酸度調整済のピートモスからなる混合材である。
【請求項２】
この発芽用混合材は、1平方メートルに1袋の目安で使用できるよう、内容量は土壌保水材用高吸水性樹脂、商品名サンフレッシュＧＴ−1を３０グラムと酸度調性済のピートモス１２００グラムで構成され、パッキング仕様である。
【考案の詳細な説明】
【技術分野】
【０００１】
本発案は、種子特に芝生の種の発芽促進に関するもので、パック入りになった混合材である。
【背景技術】
【０００２】
芝生の剥げた場所を補修する際、従来はその剥げた場所に芝生の種を播きその上に目土や土を乗せて水を掛け、種が常時湿りやすくして発芽をさせる方法が一般的です。時にはさらに乾燥防止の為にむしろをかける場合もあります。この場合、土が乾かないように水を毎日のように掛けなくてはなりません。途中で種が乾くと中々発芽しません。また、張り芝をする方法も取られています。その場合は、芝生の剥げている場所を張り芝を張りやすい形に削り取り、土を柔らかくして平らに均し、その上に張る場所の形に切った張り芝を張ります。その後張った芝生の根が付くまで、乾かないように水をたっぷりかけます。根が付くまで早くても、約2〜3週間はかかります。また大規模な面積に種を播く方法として、種子吹付け工法があります。トラックの荷台にタンクとポンプが積まれており、種子の混じった液体に圧力をかけて地面に吹付ける工法で大規模な面積には、この種子吹付け方法が適切と思われます。しかし小面積にこの種子吹付け工法を行おうとすると、１台当たりのコストがかなり高い物になってしまう為、小面積には適さない工法なのです。
【考案の概要】
【考案が解決しようとする課題】
【０００３】
一般的には芝生の剥げた場所を補修する際、種を播く方法と張り芝をする方法とがあります。種を播く場合は、種を播いた上に目土をかけ、水を頻繁に与え種を湿らせた状態を持続させ発芽させますが、少しでも乾くとなかなか発芽しません。張り芝の場合は、根付きの芝生を切って剥げた場所の大きさに合わせて張り、その後根が十分付くまで頻繁に水を与えなければなりません。特に天気の良い日が続くと水掛けに手間と大量の水が必要となります。
【課題を解決するための手段】
【０００４】
本考案は、土壌保水材用高吸水性樹脂、商品名サンフレッシュＧＴ−1、白色粉末状で、吸水量約400〜500グラム／グラム，ＰＨ6.0〜7.2を20〜30グラム・ＰＨ6.0〜7.2の酸度調整済のピートモス800グラム〜1,200グラムを１０リットルの水に芝生の種100〜200グラムと混ぜ芝生の剥げた場所に液体播種した場合、安定した良い発芽性能効果を発揮します。その中でより安定的に発芽する量として、土壌保水材用高吸水性樹脂、商品名サンフレッシュＧＴ−1を30グラム、酸度調整済のピートモス1,200グラムをポリエチレン製もしくはポリエステル製の袋に入れパック状にし、水10リットルと芝生の種100グラム〜200グラムを混ぜ合わせゲル状になった液体を市販のジョーロかひしゃくで約1平方メートルに播きます。
【考案の効果】
【０００５】
従来、芝生の種を播いて発芽させるまで、水分の状態により発芽率や発芽速度が不安定であった点を、土壌保水材用高吸水性樹脂、商品名サンフレッシュＧＴ−1、白色粉末状で吸水量約400〜500グラム／グラム、ＰＨ6.0〜7.2を使用することで水を含みゲル状になった液に種が置かれることで水分に長時間浸ることができる。それにより安定した発芽性能を実現することができる。当社実験では、数回の実験で平均気温20℃〜22℃で水を１度も掛けずに、約１週間で安定して発芽する事が出来た。また、酸度調整済のピートモスを混ぜることで、酸性土壌を芝生の生育に適した弱酸性〜中性に変え、更にピートモスの繊維の作用で、乾燥状態での種の拡散を防止でき、また種が表面に浮かないので、小鳥等の食害からも守れる。このように、芝生の種を播いた後、水を与えずに簡単に発芽させる事が出来る。そして従来必要とされていた大量の水と、その水をかける手間のコストを大幅に軽減する事が出来る。
【０００６】
この発芽用混合材をあらかじめパック状にすることで、誰にでも扱いやすく、1袋を１０リットルの水に種と一緒に混ぜ、ゲル化したら約1平方メートルに播くことができる。これにより、必要な補修面積に合わせ何パック使えば良いか判断し易い。
【図面の簡単な説明】
【０００７】
【図１】本考案に係る発芽用混合材のパック図
【図２】発芽用混合材の使用方法を示した図。
【考案を実施するための形態】
【０００８】
土壌保水材用高吸水性樹脂、商品名サンフレッシュＧＴ−1を30グラムと酸度調性済のピートモス1,200グラムを混ぜ合わせた状態の混合材をポリエチレン製又はポリエステル製の袋に入れてパック状態になっている物1袋が約1平方メートルに播ける。この１袋を10リットルの水に芝生の種100グラム〜200グラムと一緒に混ぜ、ゲル化したらひしゃく又はジョーロで芝生の剥げた所約1平方メートルに播く事が出来る。ジョーロの場合は、先の散水用の口は外して使用する。例えば、水を50リットル溜める容器があれば、水50リットルと発芽用混合材５袋と芝生の種500グラム〜1キログラムを混ぜれば5平方メートルに播く事が出来る。
【実施例】
【０００９】
当社実験にて  1、水5リットルに土壌保水材用高吸水性樹脂20グラムと芝生の種110グラム  2、水5リットルに土壌保水材用高吸水性樹脂14グラムとピートモス600グラム、芝生の種100グラム  3、水5リットルに芝生の種だけ100グラム  4、水5リットルに土壌保水材用高吸水性樹脂10グラムとピートモス600グラムに芝生の種100グラムの4種類を水を与えずに実験してみたところ平均気温22度の中で７日目に4、と2、の発芽を確認、12日目1、の発芽が確認3、の種だけの場合は中々発芽せず。その後の実験で、再度２番と４番の土壌保水材用高吸水性樹脂の量を水５リットルに対し15グラム、10グラム、5グラムに分け発芽速度の実験を行った所、15グラムがムラなく全体に発芽を確認。
次に実際に芝生の剥げた所に播いて見た。土を削ったりせずそのまま剥げた場所にゲル化した混合材をジョーロで播き、８月31日実験開始しました。途中１度も水を与えず観察。９月17日には約１ｃｍ位に発芽して伸び、そして９月末にはすっかりきれいに生え揃った。この間自然の雨は３日あった。
【産業上の利用可能性】
【００１０】
パークゴルフ場、ゴルフ場、一般家庭の芝生に利用する。
【符号の説明】
【００１１】
1・・・土壌保水材用高吸水性樹脂
2・・・酸度調性済ピートモス
3・・・シーラーで接着
4・・・縦30〜40ｃｍ横20〜30ｃｍのポリエチレン製またはポリエステル製の袋
5・・・目盛り付きバケツ
6・・・10リットル目盛
7・・・水10リットルと発芽用混合材１袋と芝生の種を混ぜゲル化した状態で使用
【図１】
0003174527.tif 000003
【図２】
0003174527.tif 000004
【手続補正書】
【提出日】平成24年1月18日(2012.1.18)
【手続補正１】
【補正対象書類名】実用新案登録請求の範囲
【補正対象項目名】全文
【補正方法】変更
【補正の内容】
【実用新案登録請求の範囲】
【請求項１】
イオン交換水400グラム〜500グラム／グラムでＰＨ6.5〜7.2の土壌保水剤用高吸水性樹脂とＰＨ6.5〜7.0の酸度調整されたピートモスを縦30〜40ｃｍ×横20〜30ｃｍのポリエチレン製又はポリエステル製の袋に充填したパック入り混合剤。
【手続補正２】
【補正対象書類名】明細書
【補正対象項目名】０００４
【補正方法】変更
【補正の内容】
【０００４】
本考案は、吸水量約400〜500グラム／グラムでＰＨ6.5〜7.2の土壌保水剤用高吸水性樹脂20〜30ｇとＰＨ6.5〜7.0に酸度調整されたピートモス800グラム〜1200グラムを10リットルの水に芝生の種100グラム〜200グラムと混ぜ、芝生の剥げた場所に液体播種した場合、安定した良い発芽性能効果を発揮します。その中でより安定的に発芽する量として、土壌保水剤用高吸水性樹脂30グラム、ピートモス1200グラムをポリエチレン製又はポリエステル製の袋に充填したパック状にしています。使用する際は、このパック1袋に対し水10リットルと芝生の種100グラム〜200グラムを混ぜ合せ、ゲル状になった液体をジョーロかヒシャクで約１平方メートルに撒きます。
【手続補正３】
【補正対象書類名】明細書
【補正対象項目名】０００５
【補正方法】変更
【補正の内容】
【０００５】
従来、芝生の種を播いて発芽させるまで、水分の状態により発芽率や発芽速度が不安定であった点を、吸水量約400〜500グラム／グラムでＰＨ6.5〜7.2の土壌保水剤用高吸水性樹脂を使用する事で、水を含みゲル状になった液に種が置かれる事で、種が水分に長時間浸る事ができる。それにより安定した発芽性能を実現する事が出来る。当社実験では数回の実験で、平均気温20℃〜22℃で1度も水を掛けずに、約1週間で安定して発芽する事が出来た。また、酸度調整済のピートモスを混ぜることで、酸性土壌を芝生の生育に適した弱酸性〜中生に変え、更にピートモスの繊維の作用で、乾燥状態での種の拡散を防止でき、また種が表面に浮かないので、小鳥等の食害からも守れる。このように、芝生の種を播いた後、水を与えずに簡単に発芽させる事が出来る。そして従来必要とされていた大量の水と、その水を掛ける手間のコストを大幅に軽減する事が出来る。